(57)【要約】【課題】従来よりも、作業性を良くし、筐体内部に設けられる部材の凍結を抑制する空気調和装置の室外機を提供する。【解決手段】開口部１０ｃ１が形成された底面パネル１０ｃを有する筐体１０と、筐体１０の内部に設けられる室外ファンと、底面パネル１０ｃに設けられるヒータ４と、ヒータ４と対向するように設けられるヒータガード５と、ヒータガード５と熱的に接続される遮蔽部６と、を備え、遮蔽部６は、開口部１０ｃ１よりも空気流れの下流側であって、ヒータガード５のうち最も空気流れの上流側の端部５ａ２１よりも空気流れの上流側に位置している。【選択図】図６
2016095072.tif 000002
【特許請求の範囲】
【請求項１】
開口部が形成された底面パネルを有する筐体と、
前記筐体の内部に設けられる室外ファンと、
前記底面パネルに設けられるヒータと、
前記ヒータと対向するように設けられるヒータガードと、
前記ヒータガードと熱的に接続される遮蔽部と、を備え、
前記遮蔽部は、
前記開口部よりも空気流れの下流側であって、前記ヒータガードのうち最も空気流れの上流側の端部よりも空気流れの上流側に位置している
ことを特徴とする空気調和装置の室外機。
【請求項２】
前記室外ファンは、
前記開口部よりも空気流れの下流側である前記筐体の前面側に設けられている
ことを特徴とする請求項１に記載の空気調和装置の室外機。
【請求項３】
前記遮蔽部は、
空気流れの上流側である前記筐体の背面側に向かうにつれて上方に向かうように前記端部から突出している
ことを特徴とする請求項１又は請求項２に記載の空気調和装置の室外機。
【請求項４】
前記遮蔽部は、
前記開口部と鋭角をなしている
ことを特徴とする請求項１〜請求項３の何れか一項に記載の空気調和装置の室外機。
【発明の詳細な説明】
【技術分野】
【０００１】
本発明は、空気調和装置の室外機に関する。
【背景技術】
【０００２】
従来、ドレン穴が形成されたドレンパンと、ドレンパンに設けられるヒータと、ヒータの一部を覆う壁部を有する保護板と、を備えた空気調和装置の室外機があった（特許文献１参照）。特許文献１に記載の空気調和装置の室外機においては、壁部を設けることで、手とヒータとの接触を抑制している。
【０００３】
また従来、ドレン排水口が形成された底板と、ドレン排水口に挿入される下固定具と、下固定具に設けられる上固定具と、上固定具及び下固定具によって挟まれる凍結防止ヒータと、を備えた空気調和装置の室外機があった（例えば、特許文献２参照）。特許文献２に記載の空気調和装置の室外機は、上固定具及び下固定具が凍結防止ヒータを挟むことで、手と凍結防止ヒータとが接触することを抑制している。
【０００４】
また従来、ドレン穴が形成された室外機ベースと、室外機ベースに設けられるヒータと、ヒータを覆う隔絶板と、を備えた空気調和装置の室外機があった（例えば、特許文献３参照）。特許文献３に記載の空気調和装置の室外機においては、隔絶板を設けることで、手とヒータとの接触を抑制している。
【先行技術文献】
【特許文献】
【０００５】
【特許文献１】特開２０１０−９１１４０号公報（［００４９］、図７）
【特許文献２】特開２０１０−７１５１４号公報（［００１２］〜［００１９］、図８）
【特許文献３】特開２００４−６９２２０号公報（［００１７］、図１）
【発明の概要】
【発明が解決しようとする課題】
【０００６】
しかしながら、特許文献１に記載の空気調和装置の室外機においては、壁部は、ヒータと対向するように設けられているために温度が高く、手と壁部とが接触しないように留意しながら各種作業を行う必要がある。このため、作業性が悪くなるという課題があった。また、特許文献１に記載の空気調和装置の室外機においては、室外機の外部からドレン穴を介して室外機の内部に流入した冷気が、壁部以外の部材に吹き付けられて当該部材を凍結させてしまう可能性があるという課題があった。
【０００７】
また、特許文献２に記載の空気調和装置の室外機においては、固定具は、ヒータと対向するように設けられているために温度が高く、手と固定具とが接触しないように留意しながら各種作業を行う必要がある。このため、作業性が悪くなるという課題があった。また、特許文献２に記載の空気調和装置の室外機においては、室外機の外部からドレン排水口を介して室外機の内部に流入した冷気が、固定具以外の部材に吹き付けられて当該部材を凍結させてしまう可能性があるという課題があった。
【０００８】
また、特許文献３に記載の空気調和装置の室外機においては、隔絶板は、ヒータと対向するように設けられているために温度が高く、手と隔絶板とが接触しないように留意しながら各種作業を行う必要がある。このため、作業性が悪くなるという課題があった。また、特許文献３に記載の空気調和装置の室外機においては、室外機の外部からドレン穴を介して室外機の内部に流入した冷気が、隔絶板以外の部材に吹き付けられて当該部材を凍結させてしまう可能性があるという課題があった。
【０００９】
本発明は、上述のような課題を背景としてなされたもので、従来よりも、作業性を良くし、筐体内部に設けられる部材の凍結を抑制する空気調和装置の室外機を提供することを目的とする。
【課題を解決するための手段】
【００１０】
本発明の空気調和装置の室外機は、開口部が形成された底面パネルを有する筐体と、前記筐体の内部に設けられる室外ファンと、前記底面パネルに設けられるヒータと、前記ヒータと対向するように設けられるヒータガードと、前記ヒータガードと熱的に接続される遮蔽部と、を備え、前記遮蔽部は、前記開口部よりも空気流れの下流側であって、前記ヒータガードのうち最も空気流れの上流側の端部よりも空気流れの上流側に位置しているものである。
【発明の効果】
【００１１】
本発明の空気調和装置の室外機は、遮蔽部が、開口部よりも空気流れの下流側で且つヒータガードよりも空気流れの上流側に位置しているものである。このため、作業性を良くし、筐体内部に設けられる部材の凍結を抑制する空気調和装置の室外機を提供することができるという効果を有する。
【図面の簡単な説明】
【００１２】
【図１】本発明の実施の形態に係る空気調和装置の室外機１００を示す斜視図である。
【図２】本発明の実施の形態に係る空気調和装置の室外機１００の室外熱交換器１及び底面パネル１０ｃを示す斜視図である。
【図３】本発明の実施の形態に係る空気調和装置の室外機１００の底面パネル１０ｃを示す斜視図である。
【図４】本発明の実施の形態に係る空気調和装置の室外機１００の室外熱交換器１を示す斜視図である。
【図５】本発明の実施の形態に係る空気調和装置の室外機１００のヒータ４及びヒータガード５を示す斜視図である。
【図６】本発明の実施の形態に係る空気調和装置の室外機１００の内部の概略を示す側面図である。
【図７】本発明の実施の形態に係る空気調和装置の室外機１００の内部の概略を示す側面図であり、空気の流れを示している。
【発明を実施するための形態】
【００１３】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１４】
図１は実施の形態に係る空気調和装置の室外機１００の斜視図である。図１に示されるように、室外機１００の外郭は筐体１０で構成される。筐体１０は、前側面パネル１０ａ、右側面パネル１０ｂ、底面パネル１０ｃ（図３）、天面パネル１０ｄ、及び背面パネル（図示省略）で構成される。前側面パネル１０ａは、筐体１０の前面側及び左側面側を構成するものであり、例えば平面視Ｌ字形状の部材で構成される。筐体１０の内部には、室外ファン３及び室外ファンモータ（図示省略）等が設けられる。
【００１５】
室外ファン３は、例えば、プロペラファンで構成される送風手段であり、室外ファン３は、筐体１０の背面側から筐体１０の内部に外気を導入し、筐体１０の内部に導入された外気を筐体１０の前面側に向かって排出する機能を有する。室外ファンモータは、室外ファン３を駆動する駆動手段である。
【００１６】
図２は本発明の実施の形態に係る空気調和装置の室外機１００の室外熱交換器１及び底面パネル１０ｃを示す斜視図である。図３は本発明の実施の形態に係る空気調和装置の室外機１００の底面パネル１０ｃを示す斜視図である。図４は本発明の実施の形態に係る空気調和装置の室外機１００の室外熱交換器１を示す斜視図である。図５は本発明の実施の形態に係る空気調和装置の室外機１００のヒータ４及びヒータガード５を示す斜視図である。
【００１７】
図２に示されるように、筐体１０の内部には、前述の室外ファン３及びファンモータに加え、室外熱交換器１、ヒータ４、及びヒータガード５が設けられている。室外熱交換器１及びヒータ４は底面パネル１０ｃの上面に載置される。ヒータガード５は、ヒータガード５ａ，５ｂで構成される。
【００１８】
図３に示されるように、底面パネル１０ｃには開口部１０ｃ１が設けられる。開口部１０ｃ１は、筐体１０の内部で生じたドレン水を排出するための開口である。開口部１０ｃ１は、例えば、底面パネル１０ｃの上下面を貫通するように複数設けられている。開口部１０ｃ１は、具体的には例えば、底面パネル１０ｃのうち筐体１０の背面側において筐体１０の左右方向に複数設けられている。また、開口部１０ｃ１は、具体的には例えば、底面パネル１０ｃのうち筐体１０の左側面側において筐体１０の前後方向に複数設けられている。開口部１０ｃ１は、室外ファン３よりも空気流れの上流側である筐体１０の背面側に設けられている。
【００１９】
図４に示されるように、室外熱交換器１は、例えば平面視してＬ字形状の熱交換器であり、前側面パネル１０ａの左側面側の面、及び背面パネル１０ｅに沿うように設けられる。室外熱交換器１は、室外ファン３及び室外ファンモータよりも室外機１００の背面側に設けられている。また、室外熱交換器１は、底面パネル１０ｃの開口部１０ｃ１よりも底面パネル１０ｃの外周側に設けられている。室外熱交換器１は、暖房運転時において蒸発器として機能し、冷房運転時において凝縮器として機能する。
【００２０】
図５に示されるように、ヒータ４は、例えば、複数回湾曲して構成される。ヒータ４は、具体的には例えば、室外熱交換器１を平面視した形状に沿うように湾曲して構成され、底面パネル１０ｃの開口部１０ｃ１よりも底面パネル１０ｃの外周から離れる方向に位置している。ヒータガード５ａは、ヒータ４の動きを規制するための部材であり、第１部位５ａ１及び第２部位５ａ２（図６）を備える。第１部位５ａ１は、ヒータ４のうち筐体１０の背面側において筐体１０の左右方向に延びるヒータ４の上方に設けられる。第２部位５ａ２の詳細については後述する。ヒータガード５ｂは、ヒータ４のうち筐体１０の左側面側において筐体１０の前後方向に延びるヒータ４の上方に設けられる。ヒータ４は、リード線（図示省略）に接続されてコネクタ（図示省略）を介して制御手段（図示省略）に接続される。
【００２１】
制御手段は、例えば、温度検知手段（図示省略）の検知情報等に基づいて、ヒータ４の温度を制御する。なお、制御手段は、例えば、この機能を実現する回路デバイスなどのハードウェア、又はマイコン若しくはＣＰＵなどの演算装置上で実行されるソフトウェアで構成される。
【００２２】
図６は本発明の実施の形態に係る空気調和装置の室外機１００の内部の概略を示す側面図である。図７は本発明の実施の形態に係る空気調和装置の室外機１００の内部の概略を示す側面図であり、空気の流れを示している。なお、図６，図７の紙面左方向は筐体１０の背面側であり、図６，図７の紙面右方向は筐体１０の前面側である。
【００２３】
図６に示されるように、第１部位５ａ１の下方には第２部位５ａ２が設けられている。第２部位５ａ２には遮蔽部６が設けられている。第２部位５ａ２及び遮蔽部６は、開口部１０ｃ１よりも筐体１０の前面側に位置している。第２部位５ａ２及び遮蔽部６は、例えば、一体として構成される。第２部位５ａ２は、側面視して上方に凸形状の部材である。第２部位５ａ２は、第２部位５ａ２のうち最も筐体１０の背面側に位置する端部５ａ２１において遮蔽部６と熱的に接続されている。遮蔽部６は、空気流れの上流側である筐体１０の背面側に向かうにつれて筐体１０の上方に向かうように端部５ａ２１から突出している。遮蔽部６は、第２部位５ａ２よりもヒータ４から離れる位置で且つ第２部位５ａ２よりも開口部１０ｃ１に近い位置に設けられる。遮蔽部６は、ヒータ４と対向しない位置に設けられている。すなわち、遮蔽部６は、第２部位５ａ２よりもヒータ４の温度の影響を受けにくいため、第２部位５ａ２の温度よりも低い。遮蔽部６と、底面パネル１０ｃのうち開口部１０ｃ１と、は鋭角をなしている。なお、第２部位５ａ２が、本発明のヒータガードに相当する。
【００２４】
なお、第２部位５ａ２及び遮蔽部６は、一体として設けられるようになっていてもよいし、別体として設けられるようになっていてもよい。ヒータ４の熱が部材を介して遮蔽部６に伝わるような構成であればよい。
【００２５】
以下に、図７を用いて、本実施の形態に係る空気調和装置の室外機１００の空気流れについて説明する。なお、以下の説明においては、寒冷地において、空気調和装置が暖房運転をしている場合を想定して説明する。室外ファン３は、室外熱交換器１及び開口部１０ｃ１よりも筐体１０の前面側に設けられているため、室外ファン３が回転されると、空気流れＸ及び空気流れＹが発生する。
【００２６】
空気流れＸは、筐体１０の背面側から筐体１０の前面側に向かう空気流れである。筐体１０の内部に流入した外気（空気）は、室外熱交換器１を通過し、室外熱交換器１を流れる冷媒と熱交換する。ここで、筐体１０の内部に流入した空気は、室外熱交換器１を流れる冷媒と熱交換して温度低下し、筐体１０の前方に向かって排出される。
【００２７】
空気流れＹは、筐体１０の背面下方から筐体１０の前面上方に向かう空気流れである。空気流れＹの上流側から下流側に向かって順に、開口部１０ｃ１、遮蔽部６、第２部位５ａ２が位置している。このことから、筐体１０の外部から開口部１０ｃ１を介して筐体１０の内部に流入した外気は、第２部位５ａ２に先行して遮蔽部６に吹き付けられる可能性が高いことが分かる。
【００２８】
ここで、暖房運転時においては、室外熱交換器１は蒸発器として機能する。このため、図７に示されるように、室外熱交換器１よりも筐体１０の背面側には、霜１Ａが付着する可能性がある。このとき、筐体１０の内部に流入した外気は、霜１Ａに触れることで放熱して温度低下する。すなわち、霜１Ａが室外熱交換器１に付着した状態における筐体１０の内部の温度は、霜１Ａが室外熱交換器１に付着していない状態における筐体１０の内部の温度よりも低くなる。このため、空気流れＸが発生することで、筐体１０の内部において結露が生じやすくなる。そして、このような状態において空気流れＹが発生すると、温度の低い外気が筐体１０の内部に流入するため、筐体１０の内部において霜が一層生じやすくなる。
【００２９】
ここで、上述したように、遮蔽部６は、筐体１０の背面側に向かうにつれて筐体１０の上方に向かうように端部５ａ２１から突出している。このため、空気流れＹに沿って流れる空気の一部は、遮蔽部６に吹き付けられる。すなわち、遮蔽部６を設けた場合においては、遮蔽部６を設けない場合に比べ、空気流れＹに沿って流れる空気は、筐体１０の内部に設けられる遮蔽部６以外の部材に吹き付けられにくくなり、筐体１０の内部に設けられる遮蔽部６以外の部材が凍結する可能性を低減することができる。
【００３０】
なお、空気流れＹに沿って流れる空気の一部が遮蔽部６に吹き付けられて吸熱することで、遮蔽部６は放熱して温度低下する一方、ヒータ４の熱が第２部位５ａ２を介して遮蔽部６に伝わることで、遮蔽部６は温度上昇する。すなわち、遮蔽部６は空気流れＹに沿って流れる空気の影響を受けて温度低下しても、遮蔽部６はヒータ４の熱を受け取って温度上昇するため、遮蔽部６が凍結する可能性を低減することができる。また、第２部位５ａ２及び遮蔽部６の熱が、筐体１０の内部に設けられる第２部位５ａ２及び遮蔽部６以外の部材に伝わることで、筐体１０の内部に設けられる第２部位５ａ２及び遮蔽部６以外の部材が凍結する可能性を低減することができる。
【００３１】
以上のように、本実施の形態に係る空気調和装置の室外機１００は、遮蔽部６が、開口部１０ｃ１よりも空気流れの下流側であって、第２部位５ａ２のうち最も空気流れの上流側の端部５ａ２１よりも空気流れの上流側に位置している。このため、遮蔽部６の温度は第２部位５ａ２の温度よりも低く、使用者は開口部１０ｃ１を介して遮蔽部６に触れることを注意する必要性が従来よりもなくなり、従来よりも作業性が良くなる。また、筐体１０の外部から開口部１０ｃ１を介して筐体１０の内部に流入した空気の一部は、遮蔽部６に吹き付けられるため、筐体１０の内部に設けられる遮蔽部６以外の部材が凍結する可能性を低減することができる。
【００３２】
なお、以上の説明においては、ヒータガード５が、ヒータ４のうち筐体１０の左右方向に延びるヒータ４のみを覆うように構成される例について説明したが、これに限定されない。例えば、ヒータ４のうち筐体１０の前後方向に延びるヒータ４も覆うようにしてもよい。このようにすれば、上述した実施の形態の効果を一層発揮することができる。
【００３３】
また、開口部１０ｃ１と遮蔽部６との位置関係は図示のものに限定されないが、開口部１０ｃ１と遮蔽部６とは近接していることが望ましい。このようにすれば、開口部１０ｃ１を通って筐体１０の内部に流入した空気は、遮蔽部６に吹き付けられやすくなるため、上述した実施の形態の効果を一層発揮することができる。
【符号の説明】
【００３４】
１  室外熱交換器、１Ａ  霜、３  室外ファン、４  ヒータ、５，５ａ  ヒータガード、５ａ１  第１部位、５ａ２  第２部位、５ａ２１  端部、５ｂ  ヒータガード、６  遮蔽部、１０  筐体、１０ａ  前側面パネル、１０ｂ  右側面パネル、１０ｃ  底面パネル、１０ｃ１  開口部、１０ｄ  天面パネル、１０ｅ  背面パネル、１００  室外機、Ｘ，Ｙ  空気流れ。
【図１】
2016095072.tif 000003
【図２】
2016095072.tif 000004
【図３】
2016095072.tif 000005
【図４】
2016095072.tif 000006
【図５】
2016095072.tif 000007
【図６】
2016095072.tif 000008
【図７】
2016095072.tif 000009